(57)【要約】【課題】  シャワーホースカバーに溜まった水の量をこまめに確認しなくてもよい洗面化粧台の提供。【解決手段】  上面に設置固定されたカウンター２２と洗面ボール２３とシャワーヘッド５と給湯給水栓２４とを有し、シャワーヘッド５と給湯給水栓２４とがシャワーホース５２を介して接続されると共に、シャワーホース５２の少なくとも折り返し部５５を収容するシャワーホースカバー５４を備えた洗面化粧台１において、フロート棒６１を有し、シャワーホースカバー５４の側面の下方で接続される検知パイプ６を備え、フロート棒６１は、シャワーホースカバー５４内の水量に応じて検知パイプ６の内部を上下に移動し、シャワーホースカバー５４内の水７の量が所定以上になるとフロート棒６１の上部がカウンター２２の上面より認識することができる。【選択図】図１
2006063518.tif 000002
【特許請求の範囲】
【請求項１】
上面に設置固定されたカウンターと洗面ボールとシャワーヘッドと給湯給水栓とを有し、シャワーヘッドと給湯給水栓とがシャワーホースを介して接続されると共に、シャワーホースの少なくとも折り返し部を収容するシャワーホースカバーを備えた洗面化粧台において、
フロート棒を有し、前記シャワーホースカバーの下方側面で接続される検知パイプを備え、該フロート棒は、前記シャワーホースカバー内の水量に応じて該検知パイプの内部を上下に移動し、該シャワーホースカバー内の水量が所定以上になると該フロート棒の上部が前記カウンターの上面より認識することができる洗面化粧台。
【発明の詳細な説明】
【技術分野】
【０００１】
本発明は、洗面化粧台に関するものであって、洗面ボールとシャワーヘッドと給湯給水栓が設けられて洗髪も行なうことが可能な洗面化粧台に関するものである。
【背景技術】
【０００２】
従来から、洗面ボールとシャワーヘッドと給湯給水栓が設けられて洗髪も行なうことが可能な洗面化粧台として図３に示すようなもの知られている。この洗面台は、カウンター１２２とシャワーヘッド１０５と、給湯給水栓１２４が設けられるとともに、シャワーヘッド１０５と給湯給水栓１２４とが可撓性ホース１５２を介して接続されたものである。このような洗面化粧台は、この洗面化粧台にあっては、可撓性ホース１５２及びシャワーヘッド１０５を固定するためのシャワーヘッドホルダー１５１、接続管１５３から伝わって、入った湯水が洗面本体のキャビネット１０２内に適下するので、その湯水を受けるためのシャワーホースカバー１５４（水受けタンク）を取り付けられている。
【０００３】
しかしながら、このような洗面化粧台は、シャワーホースカバー１５４の水量をこまめに確認しないとシャワーホースカバー１５４から水１０７があふれてキャビネット１０２内が濡れる場合があった。
【０００４】
また、別の洗面ボールとして、実公平７−５３２号公報に記載されたものが提案されている。このものは、洗面ボールとシャワーヘッドと給湯給水栓とが設けられるとともに、シャワーヘッドと給湯給水栓とが可撓性ホースを介して接続された洗面化粧台において、可撓性ホースの少なくとも折り返し部を収容する水受けタンクの底面に形成した排水孔と、洗面ボールの主排水管とを排水管を介して接続するとともに、同排水孔と排水管との接続部分に取り外すことができる通水キャップを介設して、この通水キャップ内に水受けタンクと主排水管との間の通水路を開閉する封臭手段を設けたものである。
【特許文献１】実公平７−５３２号公報
【発明の開示】
【発明が解決しようとする課題】
【０００５】
本願発明は、上記背景技術に鑑みて発明されたものであり、その課題は、シャワーホースカバーに溜まった水の量をこまめに確認しなくてもよい洗面化粧台を提供することである。
【課題を解決するための手段】
【０００６】
上記課題を解決するために、本願発明は、上面に設置固定されたカウンターと洗面ボールとシャワーヘッドと給湯給水栓とを有し、シャワーヘッドと給湯給水栓とがシャワーホースを介して接続されると共に、シャワーホースの少なくとも折り返し部を収容するシャワーホースカバーを備えた洗面化粧台において、フロート棒を有し、前記シャワーホースカバーの下方側面で接続される検知パイプを備え、該フロート棒は、前記シャワーホースカバー内の水量に応じて該検知パイプの内部を上下に移動し、該シャワーホースカバー内の水量が所定以上になると該フロート棒の上部が前記カウンターの上面より認識することができるものである。
【発明の効果】
【０００７】
本願発明の洗面化粧台によれば、シャワーホースカバーに溜まった水の量が所定の量より多くなるとカウンターの上面よりフロート棒が認識できるので、シャワーホースカバーに溜まった水の量をこまめに確認する必要がなくなる。
【発明を実施するための最良の形態】
【０００８】
本願の一実施形態の洗面化粧台１を図１及び図２に基づいて説明する。図１は一実施形態に係る洗面化粧台１の斜視図、図２（ａ）は同上のフロート棒６１が本体キャビネット２の内部に隠れている場合の本体キャビネット２の断面図、（ｂ）は同上のフロート棒６１の上部がカウンター２２の上面より認識できる場合の本体キャビネット２の断面図である。このものは、上面に設置固定されたカウンター２２と洗面ボール２３とシャワーヘッド５と給湯給水栓２４とを有し、シャワーヘッド５と給湯給水栓２４とがシャワーホース５２を介して接続されると共に、シャワーホース５２の少なくとも折り返し部５５を収容するシャワーホースカバー５４を備えた洗面化粧台１において、フロート棒６１を有する検知パイプ６を備え、フロート棒６１はシャワーホースカバー５４内の水量に応じて上下に移動し、シャワーホースカバー５４内の水７が所定以上になるとフロート棒６１の上部がカウンター２２の上面より認識することができるものである。
【０００９】
本体キャビネット２は、例えば、その上面に設置固定されたカウンター２２と、このカウンター２２より低い位置の上面略全域にわたる大きさの洗面ボール２３とが一体に形成されている。洗面ボール２３の後側内壁面の中程には、シャワーヘッド５と給湯給水栓２４とが設けられシャワーヘッド５と給湯給水栓２４とがシャワーホース５２を介して接続されている。シャワーホース５２は、少なくとも折り返し部５５がシャワーホースカバー５４に収容されている。
【００１０】
また、カウンター２２の上面には、フロート棒６１の一部をカウンター２２の下方より突出させるための穴２５が設けられている。
【００１１】
シャワーホースカバー５４は、本体キャビネット２の内面に取り付けられており、シャワーホース５２を出し入れ自在に挿入した接続管５３を介してシャワーヘッドホルダー５１と接続されている。また、シャワーホース５２及びシャワーヘッド５を固定するためのシャワーヘッドホルダー５１、接続管５３から伝わった水を貯めるためのものである。そして、シャワーホースカバー５４は、その側面の下方から検知パイプ６に接続されている。
【００１２】
ミラーキャビネット３は、例えば、枠材前方に固着された３枚構成の板状の鏡の上部には、この鏡の前方を照射するよう設けられた蛍光灯点灯装置を備えている。
【００１３】
連結部材４は、上記ミラーキャビネット３設置位置の高さ調節が調節できるもので、この場合、図示はしないが、木材による角材を四角状に組み合わせた連結枠と、この連結枠に装着される合成樹脂製で板状のカバー体とを備えている。このカバー体の両側には、前記連結枠の縦枠に形成されている固着孔に挿入されて、前記カバー体を着脱自在とする固着突起が、その背面側に複数突設されている。また、前記連結枠の横枠には、その裏面側に配線の配設される配線溝が刻設されている。
【００１４】
検知パイプ６は、その内部にフロート棒６１を有し、シャワーホースカバー５４の側面の下方から接続されており、大地に対して垂直に取付けられている。そして、シャワーホースカバー５４内部の水量に応じて、検知パイプ６の水量も変動するようになっている。すなわち、シャワーホースカバー５４内部の水量が増加すれば、検知パイプ６内部の水量も増加し、フロート棒６１が浮くことになり、また、シャワーホースカバー５４内部の水量が減少すれば、検知パイプ６内部の水量も減少し、フロート棒６１が沈むことになる。
【００１５】
このように構成された洗面化粧台１は、図２（ａ）に示すように、シャワーホースカバー５４内の水７の量が所定の量より少ない場合、フロート棒６１は、本体キャビネット２内部隠れて、カウンター２２の上面より認識できなくなっている。また、図２（ｂ）に示すように、シャワーホースカバー５４内の水７の量が所定の量より多い場合、フロート棒６１の上部は、本体キャビネット２の穴２５より、その上部が突出し、カウンター２２の上面より認識することができる。
【００１６】
従って、カウンター２２の上面よりフロート棒６１を認識できるかどうかにより、シャワーホースカバー５４に溜まった水７の量が所定の量より多いか少ないかがわかるので、シャワーホースカバー５４に溜まった水７の量をこまめに確認する必要がなくなる。
【００１７】
なお、ミラーキャビネット３及び連結部材４は、特に必要はなく、必要がなければ適宜取りはずせばよい。
【００１８】
なお、シャワーホースカバー５４と主排水管とを排水管を介して接続し、排水管に例えば、開閉装置を設け、この開閉装置を開けることによりシャワーホースカバー５４内の水を排水管に排出すると良い。
【図面の簡単な説明】
【００１９】
【図１】本発明の一実施形態に係る洗面化粧台の斜視図である。
【図２】（ａ）は同上のフロート棒６１が本体キャビネット２の内部に隠れている場合の本体キャビネット２の断面図、（ｂ）は同上のフロート棒６１の上部がカウンター２２の上面より認識できる場合の本体キャビネット２の断面図である。
【図３】従来の洗面化粧台の本体キャビネットの断面図である。
【符号の説明】
【００２０】
１    洗面化粧台
２２  カウンター
２３  洗面ボール
２４  給湯給水栓
５    シャワーヘッド
５２  シャワーホース
５４  シャワーホースカバー
５５  折り返し部
６    検知パイプ
６１  フロート棒
【図１】
2006063518.tif 000003
【図２】
2006063518.tif 000004
【図３】
2006063518.tif 000005